(57)【要約】【課題】ヒータユニットの電極端子間の接続作業が簡単に行える空調装置用のヒータユニットを提供する。【解決手段】ヒータ支持枠２１と、このヒータ支持枠２１に並設された複数のセラミックヒータ２２と、各セラミックヒータ２２の両端に設けられた電極端子３０とを備えた空調装置用のヒータユニット２０であって、各セラミックヒータ２２の一方の各電極端子３０と第１電極板４０とを固定してそれぞれの各電極端子３０を第１電極板４０を介して互いに電気的に接続し、各セラミックヒータ２２の他方の各電極端子３０と第２電極板５０とを固定してそれぞれの各電極端子３０を第２電極板５０を介して互いに電気的に接続する。【選択図】　図４
2004125193.tif 000002
【特許請求の範囲】
【請求項１】
枠体と、この枠体に並設された複数のヒータと、各ヒータの両端に設けられた電極端子とを備えた空調装置用のヒータユニットであって、
各ヒータの一方の各電極端子と第１電極板とを固定してそれぞれの各電極端子を第１電極板を介して互いに電気的に接続し、
各ヒータの他方の各電極端子と第２電極板とを固定してそれぞれの各電極端子を第２電極板を介して互いに電気的に接続することを特徴とする空調装置用のヒータユニット。
【請求項２】
一方の各電極端子と第１電極板との固定と、他方の各電極端子と第２電極板との固定はネジ止めで行うことを特徴とする請求項１に記載の空調装置用のヒータユニット。
【発明の詳細な説明】
【０００１】
【発明の属する技術分野】
この発明は、複数のヒータを枠体に並設した暖房機能を有する暖房装置、乾燥装置、換気装置などの空調装置に使用されるヒータユニットに関する。
【０００２】
【従来の技術】
従来から、図９および図１０に示すようにヒータを備えた浴室用換気装置が知られている（例えば特許文献１参照）。
【０００３】
かかる浴室用換気装置１００は、浴室内の空気を吸気するための第１吸気口１０１と、吸気した空気を室外へ排気するための排気口１０２と、浴室内の空気を吸気する第２吸気口１０３と、この第２吸気口１０３から吸気した空気を浴室内へ戻すための吹出口１０４と、この吹出口１０４に設けたヒータユニット１１０と、第１吸気口１０１から空気を吸気して排気口１０２へ送風する送風機１０５と、第２吸気口１０３から吸気した空気を吹出口１０４へ送風する送風機１０６とを備えている。
【０００４】
この浴室用換気装置１００によれば、送風機１０５の駆動によって第１吸気口１０１から空気が吸気されて排気口１０２から排気されることにより浴室の換気が行われる。この換気の際、浴室内の湿気を含んだ空気が室外へ排気されることになる。また、送風機１０６の駆動によって第２吸気口１０３から空気が吸気されて吹出口１０４から浴室へ吹き出されていき、この吹出口１０４から吹き出される空気はヒータユニット１１０のヒータ１１１によって加温されることにより浴室の暖房が行われる。両送風機１０５，１０６を駆動させると、浴室内の湿気を含んだ空気が室外へ排気されるとともに吹出口１０４から温風が吹き出されることにより、浴室が乾燥室となり衣類の乾燥が行えることになる。
【０００５】
ヒータユニット１１０は、図１１に示すように、図示しない枠体に複数のヒータ１１１が並設され、各ヒータ１１１の両端には電極端子１１２，１１３が設けられており、各電極端子１１２，１１３にはネジ用の孔１１２Ａ，１１３Ａが設けられている。そして、リード線１１４が接続されたリング状の接続端子１１５の穴１１５Ａと電極端子１１２の孔１１２ＡとにネジＮ１を通すとともに、図１２に示すようにナット１１６をそのネジＮ１に螺合させることによって接続端子１１５を各電極端子１１２に固定している。
【０００６】
同様に各電極端子１１３にリード線１１４が接続された接続端子１１５をネジＮ１によって固定している。これら接続端子１１５が各電極端子１１２，１１３に固定されることにより各ヒータ１１１が並列接続されている。
【０００７】
【特許文献１】
実開平５−３９４９７号公報（段落１０、図４、図５）
【０００８】
【発明が解決しようとする課題】
ところで、ネジＮ１による接続端子１１５の固定は、図１２に示すように電極端子１１２，１１３の裏側の空間が狭いことにより、片方の手で、例えばラジオペンチ１１７でナット１１６を保持しつつ電極端子１１２，１１３の孔１１２Ａ，１１３Ａに位置決めさせ、他方の手はドライバ１１８を持たなければならず、このためドライバ１１８によりネジＮ１を締め付ける際のその作業は面倒なものであった。しかも、ネジＮ１は浴室の湿気によって錆びないようにステンレス性のものを使用するため、先端部が磁化されたマグネットドライバが使用できず、このためヒータユニット１１０の電極端子間の接続作業は非常に面倒であるという問題があった。
【０００９】
この発明の目的は、ヒータユニットの電極端子間の接続作業が簡単に行える空調装置用のヒータユニットを提供することにある。
【００１０】
【課題を解決するための手段】
上記目的を達成するため、請求項１の発明は、枠体と、この枠体に並設された複数のヒータと、各ヒータの両端に設けられた電極端子とを備えた空調装置用のヒータユニットであって、
各ヒータの一方の各電極端子と第１電極板とを固定してそれぞれの各電極端子を第１電極板を介して互いに電気的に接続し、
各ヒータの他方の各電極端子と第２電極板とを固定してそれぞれの各電極端子を第２電極板を介して互いに電気的に接続することを特徴とする。
【００１１】
請求項２の発明は、一方の各電極端子と第１電極板との固定と、他方の各電極端子と第２電極板との固定はネジ止めで行うことを特徴とする。
【００１２】
【発明の実施の形態】
以下に、この発明に係る空調装置の１つである換気装置用のヒータユニットを搭載した浴室換気装置の実施の形態を図面に基づいて説明する。
【００１３】
図１及び図２において、１は浴室換気装置であり、この浴室換気装置１は、予め天井Ｔに設けた開口部ｔ内に収納される本体ケース２を有し、天井Ｔにネジ孔ＴＨを介してネジ（図示せず）止め固定される。この本体ケース２の下面には、浴室内（図示せず）の空気を吸気する吸気口３と浴室内へ風を吹き出す吹出口４とが設けられている。吹出口４内にはヒータユニット２０が設けられており、吹出口４から吹き出す空気をそのヒータユニット２０のセラミックヒータ２２によって暖めるようになっている。
【００１４】
本体ケース２の側方には排気口５が設けられており、この排気口５は図２に示すようにダクト１５を介して室外に連通されている。本体ケース２内にはダンパＤが設けられており、図２に示す実線位置と破線位置と鎖線位置とに切り換え可能となっている。なお、ダンパＤは任意の中間位置に位置できるように設定してもよい。
【００１５】
ダンパＤは図３に示す軸８回りに回動して位置が切り換わるものであり、軸８はヒータユニット２０に設けた一対の支持部材９に回動自在に保持されている。
【００１６】
ダンパＤの両側縁ＤＳには下向きのリブＬが形成されており、このリブＬはダンパＤが換気位置に切り換えられているときのダンパＤの側縁ＤＳと本体ケース２に形成された循環風路４Ａの側壁４ｂとの間の隙間から風が漏れるのを防止するためのものである。
【００１７】
そして、ダンパＤが実線位置（暖房モード位置）に切り換えられると、吸気口３と吹出口４とが循環風路４Ａを介して連通されてセラミックヒータ２２の通電により暖房モードとなり、吸気口３、循環風路４Ａ、そして吹出口４へと空気が流れ、浴室内を暖房する。この状態において、セラミックヒータ２２を非通電にすると、吹出口４から涼しい風が吹き出し、涼風モードとなる。
【００１８】
ダンパＤが破線位置（換気モード位置）に切り換えられると、吸気口３と排気口５とが換気風路５Ａを介して連通されて換気モードとなり、吸気口３、換気風路５Ａ、そして、排気口５へと空気が流れ、換気が行われる。また、ダンパＤが中間位置である鎖線位置（乾燥モード位置）に切り換わると、セラミックヒータ２２の通電により乾燥モードとなり、吸気口３、換気風路５Ａ、排気口５へと空気が流れて湿った空気が室外へ排出され、代わりに浴室のドアに設けてある吸込口（図示せず）から乾いた空気を取り入れるとともに、吸気口３，循環風路４Ａ、吹出口４へと空気が流れて浴室内の温度が適度に上がり、衣類の乾燥が行えるようになっている。
【００１９】
浴室換気装置１の運転を停止させたときには、ダンパＤが実線位置に切り換えられると共にセラミックヒータ２２が非通電状態になるようになっている。
【００２０】
本体ケース２内には図２に示すように遠心ファン（送風機）Ｆが設けられており、この遠心ファンＦによって空気を吸気し、その吸気した空気を吹出口４から吹き出させたり、排気口５から排気したりするようになっている。Ｍは遠心ファンＦを回転させるモータである。
【００２１】
ヒータユニット２０は、図４および図５に示すように、４角形状に形成された環状のヒータ支持枠（枠体）２１と、このヒータ支持枠２１に取り付けられる複数のセラミックヒータ（ヒータ）２２と、ヒータ支持枠２１に取り付けられるとともにセラミックヒータ２２を囲む側壁枠２３（図３参照）等とを備えている。
【００２２】
各セラミックヒータ２２には放熱フィン２４が取り付けられており、各セラミックヒータ２２の両端には樹脂製の台座２５が装着されている。各台座２５は、セラミックヒータ２２の端部を保持する保持部２５Ａと、この保持部２５Ａの下部に形成されるとともにヒータ支持枠２１に取り付けられる台座部２５Ｂとを有している。この台座部２５Ｂをヒータ支持枠２１に取り付けることによって、セラミックヒータ２２が台座２５を介してヒータ支持枠２１に取り付けらる。
【００２３】
各保持部２５Ａには、セラミックヒータ２２の一端に電気的に接続された電極端子３０（図６参照）が取り付けられ、この電極端子３０はＬ字状に形成されてその先端部が平板状の接続部３０Ａとなっており、この接続部３０Ａにはネジ用の孔３０ａが形成されている。各電極端子３０間は、第１，第２電極板４０，５０によってそれぞれ電気的に接続されるようになっている。
【００２４】
電極板４０は、図６に示すように左右方向に延びた基板部４１と、この基板部４１から下方（図６において）に突出するとともに平板状の複数の接合部４２Ａ〜４２Ｄとを有している。各接合部４２Ａ〜４２Ｄは各セラミックヒータ２２の電極端子３０の接続部３０Ａに対応した位置に設けられており、各接合部４２Ａ〜４２Ｄには孔４２ａ〜４２ｄが形成され、各孔４２ａ〜４２ｄには雌ネジが切ってある。
【００２５】
第２電極板５０も電極板４０と同一の構成となっているので、その説明は省略する。
【００２６】
ヒータユニット２０の組み付けは、先ず、セラミックヒータ２２の両端に装着された台座２５の台座部２５Ｂを従来と同様にしてヒータ支持枠２１に取り付けて、各セラミックヒータ２２を図５に示すようにヒータ支持枠２１に取り付ける。次に、第１電極板４０の各接合部４２を各電極端子３０の接続部３０Ａの裏面に合わせる。そして、図６に示すように、リード線３５が接続された接続端子３６の穴３６ＡにネジＮａ１を通すとともに、このネジＮａ１を電極端子３０の接続部３０Ａの孔３０ａと第１電極板４０の接合部４２Ａの孔４２ａとに差し込む。
【００２７】
そして、図７に示すようにドライバ６０によりネジＮａ１を回していけば、第１電極板４０の接合部４２Ａの孔４２ａに雌ネジが切ってあることにより、その接合部４２Ａの孔４２ａにネジＮａ１が螺合していき、図８に示すように電極端子３０の接続部３０Ａと第１電極板４０の接合部４２Ａと接続端子３６とがネジＮａ１により締め付けられて固定される。このドライバ６０による締め付けの際、第１電極板４０の各接合部４２Ａ〜４２Ｄは左右方向に延びた基板部４１に設けられているとともに、その基板部４１が電極端子３０の接続部３０Ａの上に位置することにより、その基板部４１が回動しないように手で押さえることができるので、その接合部４２Ａをラジオペンチ等で押さえる必要がない。
【００２８】
このため、ネジＮａ１止めによる電極端子３０の接続部３０Ａと第１電極板４０の接合部４２Ａと接続端子３６との接続作業は簡単に行えることになる。
【００２９】
同様にして、ネジＮａ２〜Ｎａ４を電極端子３０の接続部３０Ａの各孔３０ａと第１電極板４０の接合部４２Ｂ〜４２Ｄの孔４２ｂ〜４２ｄに通してドライバ６０によりネジＮａ２〜Ｎａ４を回していけば、第１電極板４０の接合部４２Ｂ〜４２Ｄの孔４２ｂ〜４２ｄに雌ネジが切ってあることにより、その接合部４２Ｂ〜４２Ｄの孔４２ｂ〜４２ｄにネジＮａ２〜Ｎａ４が螺合していき、電極端子３０の接続部３０Ａと第１電極板４０の接合部４２Ｂ〜４２ＤとがネジＮａ２〜Ｎａ４により締め付けられて固定される。
【００３０】
この場合、ネジＮａ１によって第１電極板４０が固定されているので、第１電極板４０の基板部４１を押さえる必要がなく、単にドライバ６０を回すだけでよい。このため、ネジＮａ２〜Ｎａ４止めによる電極端子３０の接続部３０Ｂ〜３０Ｄと第１電極板４０の接合部４２Ｂ〜４２Ｄとの接続作業は非常に簡単なものとなる。しかも、第１電極板４０の各接合部４２Ａ〜４２Ｄは基板部４１により電気的に接続されているので、リード線３５が接続された接続端子３６を第１電極板４０の各接合部４２Ｂ〜４２Ｄに接続する必要がない。
【００３１】
第２電極板５０も上記と同様にしてネジＮｂ１〜Ｎｂ４（図４参照）により電極端子３０のに取り付ければよいので、電極端子３０の接続部３０Ａと第２電極板５０の接合部５２Ａ〜５２Ｄとの接続作業が非常に簡単なものとなる。
【００３２】
このように、電極端子３０の接続部３０Ａ〜３０Ｄと第１，第２電極板４０，５０の接合部４２Ａ〜４２Ｄ，５２Ａ〜５２Ｄとの接続作業が非常に簡単に行える。すなわち、各電極端子３０間の接続作業が簡単に行える。
【００３３】
上記実施形態では、第１，第２電極板４０，５０を電極端子３０の接続部３０Ａ〜３０Ｄにネジにより固定しているが、例えばピンを圧入して固定するようにしてもよい。また、浴室換気装置に取り付けたヒータユニット２０について説明したが、脱衣所や洗面所等の浴室以外の室内を換気する換気装置に適用してもよい。また、換気機能を有していない暖房装置にも適用できることは勿論である。
【００３４】
【発明の効果】
以上説明したように、この発明によれば、ヒータユニットの電極端子間の接続作業が簡単に行える。
【図面の簡単な説明】
【図１】この発明に係るヒータユニットを搭載した浴室換気装置を示した斜視図である。
【図２】図１に示す浴室換気装置の構成を示した断面図である。
【図３】ダンパを取り付けたヒータユニットを示した斜視図である。
【図４】ヒータユニットの構成を示した分解斜視図である。
【図５】ヒータ支持枠に複数のヒータを取り付けた状態を示した斜視図である。
【図６】図４の一部を拡大した部分拡大図である。
【図７】第１電極板をネジ止めして電極端子に固定した状態を示す説明図である。
【図８】第１電極板のネジ止め状態を示した側面図である。
【図９】従来の浴室換気装置の構成を示した断面図である。
【図１０】図９に示す浴室換気装置を示した底面図である。
【図１１】従来のヒータユニットの構成を示した説明図である。
【図１２】ヒータの電極端子に接続端子をネジで固定する方法を示した説明図である。
【符号の説明】
１　　　　　　　　浴室換気装置
２　　　　　　　　本体ケース
３　　　　　　　　吸気口
４　　　　　　　　吹出口
４Ａ　　　　　　　　循環風路
５　　　　　　　　排気口
５Ａ　　　　　　　　換気風路
８　　　　　　　　軸
９　　　　　　　　支持部材
２０　　　　　　　　ヒータユニット
２１　　　　　　　　ヒータ支持枠（枠体）
２２　　　　　　　　セラミックヒータ（ヒータ）
２３　　　　　　　　側壁枠
２４　　　　　　　　放熱フィン
２５　　　　　　　　台座
２５Ａ　　　　　　保持部
２５Ｂ　　　　　　台座部
３０　　　　　　　　電極端子
３０Ａ　　　　　　接続部
３０ａ　　　　　　孔
３５　　　　　　　　リード線
３６　　　　　　　　接続端子
３６Ａ　　　　　　穴
４０　　　　　　　　第１電極板
４１　　　　　　　　基板部
４２Ａ〜４２Ｄ　　　　接合部
４２ａ〜４２ｂ　　　　孔
５０　　　　　　　　第２電極板
６０　　　　　　　　ドライバ
Ｎａ１〜Ｎａ４　　　ネジ
Ｎｂ１〜Ｎｂ４　　　　ネジ
Ｆ　　　　　　　　　　遠心ファン
Ｄ　　　　　　　　　　ダンパ
Ｍ　　　　　　　　　　モータ
【図１】
2004125193.tif 000003
【図２】
2004125193.tif 000004
【図３】
2004125193.tif 000005
【図４】
2004125193.tif 000006
【図５】
2004125193.tif 000007
【図６】
2004125193.tif 000008
【図７】
2004125193.tif 000009
【図８】
2004125193.tif 000010
【図９】
2004125193.tif 000011
【図１０】
2004125193.tif 000012
【図１１】
2004125193.tif 000013
【図１２】
2004125193.tif 000014